(57)【要約】【課題】プロテクタを筐体側に一体に組み込む形として振動吸収部材やスピーカ保持部材を不要とし得、携帯端末機器の薄型化を図ることができると共に、部品点数並びに製造工程における組付工数を削減し得る携帯端末機器を提供する。【解決手段】スピーカ１のボイスコイル２を保持するフレーム３に対し該ボイスコイル２表面の振動版４を保護するよう設けられるプロテクタ５を、筐体７に穿設されたスピーカ取付孔１１に対して、該スピーカ取付孔１１を塞ぐように嵌合させることにより、筐体７に対しスピーカ１を一体に取り付ける。【選択図】図１
2005073103.tif 000002
【特許請求の範囲】
【請求項１】
スピーカのボイスコイルを保持するフレームに対し該ボイスコイル表面の振動版を保護するよう設けられるプロテクタを、筐体に穿設されたスピーカ取付孔に対して、該スピーカ取付孔を塞ぐように嵌合させることにより、筐体に対しスピーカを一体に取り付けたことを特徴とする携帯端末機器。
【請求項２】
スピーカ取付孔に対しプロテクタを螺合させるよう構成した請求項１記載の携帯端末機器。
【請求項３】
フレーム外周面に外方へ張り出す突片を形成し、筐体に穿設されたスピーカ取付孔の周縁部所要箇所に、前記突片を嵌入可能な切欠部を形成すると共に、該切欠部に突片を嵌入した状態からスピーカを回転させることにより前記突片を係止可能な溝部を形成した請求項１記載の携帯端末機器。
【請求項４】
プロテクタを筐体と同じ材質で成形するようにした請求項１〜３いずれかに記載の携帯端末機器。
【発明の詳細な説明】
【技術分野】
【０００１】
本発明は、携帯端末機器に関するものである。
【背景技術】
【０００２】
一般に、携帯電話、ＰＨＳ（簡易型携帯電話）等を含む小型の携帯端末機器においては、筐体の内部に、着信音等を発するスピーカが取り付けられるが、従来の場合、図６に示される如く、スピーカ１は、ボイスコイル２を保持するフレーム３に対し、該ボイスコイル２表面の振動版４を保護するようプロテクタ５を設けてなる構成を有しており、携帯端末機器６の筐体７に対する前記スピーカ１の取付に関しては、筐体７とスピーカ１との間に、筐体７にスピーカ１が接触して発生するビリツキを防ぐための振動吸収部材８を介在させた状態で、スピーカ１の背面側を覆うように設けられるスピーカ保持部材９を筐体７に対してネジ１０により固定することによって、行われるようになっている。
【０００３】
尚、図６中、５ａはスピーカ１のボイスコイル２表面の振動版４から発せられる音をスピーカ１外部へ伝えるようプロテクタ５に穿設された小孔、７ａはスピーカ１から発せられる音を筐体７外部へ伝えるよう該筐体７に穿設された小孔である。
【０００４】
又、前述の如き携帯端末機器に関連する技術内容を示すものとしては、例えば、特許文献１がある。
【特許文献１】特開２００２−３６８８５９号公報
【発明の開示】
【発明が解決しようとする課題】
【０００５】
しかしながら、図６に示される如く、スピーカ１を筐体７に取り付けるようにした場合、振動吸収部材８やスピーカ保持部材９の分だけ厚みが増すことは避けられず、携帯端末機器６を薄型化する上での大きな障害となっていた。
【０００６】
又、スピーカ１の取付時には、筐体７に振動吸収部材８を両面テープで貼り付けたり、スピーカ保持部材９を筐体７に対してネジ１０で固定する必要があり、部品点数の増加並びに製造工程における組付工数の増加につながるという欠点を有していた。
【０００７】
本発明は、斯かる実情に鑑み、プロテクタを筐体側に一体に組み込む形として振動吸収部材やスピーカ保持部材を不要とし得、携帯端末機器の薄型化を図ることができると共に、部品点数並びに製造工程における組付工数を削減し得る携帯端末機器を提供しようとするものである。
【課題を解決するための手段】
【０００８】
本発明は、スピーカのボイスコイルを保持するフレームに対し該ボイスコイル表面の振動版を保護するよう設けられるプロテクタを、筐体に穿設されたスピーカ取付孔に対して、該スピーカ取付孔を塞ぐように嵌合させることにより、筐体に対しスピーカを一体に取り付けたことを特徴とする携帯端末機器にかかるものである。
【０００９】
上記手段によれば、以下のような作用が得られる。
【００１０】
前述の如く構成すると、プロテクタは筐体側に一体に組み込まれる形となると共に、従来例のように、筐体とスピーカとの間に振動吸収部材を介在させたり、或いはスピーカの背面側を覆うようにスピーカ保持部材を設けたりする必要がなくなり、前記振動吸収部材やスピーカ保持部材の分だけ厚みが増すことは避けられ、携帯端末機器を薄型化することが可能となる。
【００１１】
又、振動吸収部材やスピーカ保持部材が不要となることから、筐体に振動吸収部材を両面テープで貼り付けたり、スピーカ保持部材を筐体に対してネジで固定する必要がなくなり、部品点数の増加並びに製造工程における組付工数の増加が避けられることとなる。
【００１２】
前記携帯端末機器においては、スピーカ取付孔に対しプロテクタを螺合させるよう構成することができ、このようにすると、プロテクタは筐体側に一体にねじ込まれる形となって、スピーカの組み付けをより安定させることが可能になる。
【００１３】
又、前記携帯端末機器においては、フレーム外周面に外方へ張り出す突片を形成し、筐体に穿設されたスピーカ取付孔の周縁部所要箇所に、前記突片を嵌入可能な切欠部を形成すると共に、該切欠部に突片を嵌入した状態からスピーカを回転させることにより前記突片を係止可能な溝部を形成することもでき、このようにした場合には、スピーカ取付孔の周縁部所要箇所に形成された切欠部に、フレーム外周面に外方へ張り出すよう形成された突片を嵌入させた状態からスピーカを回転させると、該突片が溝部に係止され、これにより、プロテクタは筐体側に一体に組み込まれる形となって、スピーカの組み付けをより安定させることが可能になる。
【００１４】
更に又、前記携帯端末機器においては、プロテクタを筐体と同じ材質で成形することが有効であり、このようにすると、筐体の外観に違和感が生じることはなく、見栄えが悪くなる心配もない。
【発明の効果】
【００１５】
本発明の携帯端末機器によれば、プロテクタを筐体側に一体に組み込む形として振動吸収部材やスピーカ保持部材を不要とし得、携帯端末機器の薄型化を図ることができると共に、部品点数並びに製造工程における組付工数を削減し得るという優れた効果を奏し得る。
【発明を実施するための最良の形態】
【００１６】
以下、本発明の実施の形態を添付図面を参照して説明する。
【００１７】
図１及び図２は本発明を実施する形態の第一の例であって、図中、図６と同一の符号を付した部分は同一物を表わしており、スピーカ１のボイスコイル２を保持するフレーム３に対し該ボイスコイル２表面の振動版４を保護するよう設けられるプロテクタ５を、筐体７に穿設されたスピーカ取付孔１１に対して、該スピーカ取付孔１１を塞ぐように嵌合させることにより、筐体７に対しスピーカ１を一体に取り付けたものである。
【００１８】
本図示例の場合、前記プロテクタ５は、筐体７と同じ材質で成形すると共に、前記スピーカ取付孔１１の内周部には、スピーカ１を取り付けた際の筐体７の密閉度を高めるためのシール部材１２を設けるようにしてある。
【００１９】
次に、上記図示例の作用を説明する。
【００２０】
前述の如く構成すると、プロテクタ５は筐体７側に一体に組み込まれる形となると共に、図６に示される従来例のように、筐体７とスピーカ１との間に振動吸収部材８を介在させたり、或いはスピーカ１の背面側を覆うようにスピーカ保持部材９を設けたりする必要がなくなり、前記振動吸収部材８やスピーカ保持部材９の分だけ厚みが増すことは避けられ、携帯端末機器６を薄型化することが可能となる。
【００２１】
又、振動吸収部材８やスピーカ保持部材９が不要となることから、筐体７に振動吸収部材８を両面テープで貼り付けたり、スピーカ保持部材９を筐体７に対してネジ１０で固定する必要がなくなり、部品点数の増加並びに製造工程における組付工数の増加が避けられることとなる。
【００２２】
更に又、プロテクタ５は、筐体７と同じ材質で成形してあるため、筐体７の外観に違和感が生じることはなく、見栄えが悪くなる心配もなく、しかも、シール部材１２により密閉度を保持されつつ筐体７側に一体に組み込まれることとなる。
【００２３】
こうして、プロテクタ５を筐体７側に一体に組み込む形として振動吸収部材８やスピーカ保持部材９を不要とし得、携帯端末機器６の薄型化を図ることができると共に、部品点数並びに製造工程における組付工数を削減し得る。
【００２４】
図３は本発明を実施する形態の第二の例であって、図中、図１及び図２と同一の符号を付した部分は同一物を表わしており、基本的な構成は図１及び図２に示すものと同様であるが、本図示例の特徴とするところは、図３に示す如く、スピーカ取付孔１１におけるプロテクタ５が嵌合する箇所に雌ネジ部１１ａを形成すると共に、プロテクタ５の対応箇所に雄ネジ部５ｂを形成することにより、スピーカ取付孔１１に対しプロテクタ５を螺合させるよう構成した点にある。
【００２５】
図３に示す如く、スピーカ取付孔１１に対しプロテクタ５を螺合させるよう構成すると、プロテクタ５は筐体７側に一体にねじ込まれる形となって、スピーカ１の組み付けをより安定させることが可能になると共に、図６に示される従来例のように、筐体７とスピーカ１との間に振動吸収部材８を介在させたり、或いはスピーカ１の背面側を覆うようにスピーカ保持部材９を設けたりする必要がなくなり、前記振動吸収部材８やスピーカ保持部材９の分だけ厚みが増すことは避けられ、携帯端末機器６を薄型化することが可能となる。
【００２６】
又、振動吸収部材８やスピーカ保持部材９が不要となることから、筐体７に振動吸収部材８を両面テープで貼り付けたり、スピーカ保持部材９を筐体７に対してネジ１０で固定する必要がなくなり、部品点数の増加並びに製造工程における組付工数の増加が避けられることとなる。
【００２７】
更に又、プロテクタ５は、筐体７と同じ材質で成形してあるため、筐体７の外観に違和感が生じることはなく、見栄えが悪くなる心配もなく、しかも、シール部材１２により密閉度を保持されつつ筐体７側に一体にねじ込まれることとなる。
【００２８】
こうして、図３に示す第二の例においても、図１及び図２に示す第一の例の場合と同様、プロテクタ５を筐体７側に一体に組み込む形として振動吸収部材８やスピーカ保持部材９を不要とし得、携帯端末機器６の薄型化を図ることができると共に、部品点数並びに製造工程における組付工数を削減し得る。
【００２９】
図４及び図５は本発明を実施する形態の第三の例であって、図中、図１及び図２と同一の符号を付した部分は同一物を表わしており、基本的な構成は図１及び図２に示すものと同様であるが、本図示例の特徴とするところは、図４及び図５に示す如く、フレーム３外周面に外方へ張り出す突片１３を形成し、筐体７に穿設されたスピーカ取付孔１１の周縁部所要箇所に、前記突片１３を嵌入可能な切欠部１４を形成すると共に、該切欠部１４に突片１３を嵌入した状態からスピーカ１を回転させることにより前記突片１３を係止可能な溝部１５を形成した点にある。
【００３０】
図４及び図５に示す第三の例においては、スピーカ取付孔１１の周縁部所要箇所に形成された切欠部１４に、フレーム３外周面に外方へ張り出すよう形成された突片１３を嵌入させた状態からスピーカ１を回転させると、該突片１３が溝部１５に係止され、これにより、プロテクタ５は筐体７側に一体に組み込まれる形となって、スピーカ１の組み付けをより安定させることが可能になると共に、図６に示される従来例のように、筐体７とスピーカ１との間に振動吸収部材８を介在させたり、或いはスピーカ１の背面側を覆うようにスピーカ保持部材９を設けたりする必要がなくなり、前記振動吸収部材８やスピーカ保持部材９の分だけ厚みが増すことは避けられ、携帯端末機器６を薄型化することが可能となる。
【００３１】
又、振動吸収部材８やスピーカ保持部材９が不要となることから、筐体７に振動吸収部材８を両面テープで貼り付けたり、スピーカ保持部材９を筐体７に対してネジ１０で固定する必要がなくなり、部品点数の増加並びに製造工程における組付工数の増加が避けられることとなる。
【００３２】
更に又、プロテクタ５は、筐体７と同じ材質で成形してあるため、筐体７の外観に違和感が生じることはなく、見栄えが悪くなる心配もなく、しかも、シール部材１２により密閉度を保持されつつ筐体７側に一体に組み込まれることとなる。
【００３３】
こうして、図４及び図５に示す第三の例においても、図１及び図２に示す第一の例の場合と同様、プロテクタ５を筐体７側に一体に組み込む形として振動吸収部材８やスピーカ保持部材９を不要とし得、携帯端末機器６の薄型化を図ることができると共に、部品点数並びに製造工程における組付工数を削減し得る。
【００３４】
尚、本発明の携帯端末機器は、上述の図示例にのみ限定されるものではなく、本発明の要旨を逸脱しない範囲内において種々変更を加え得ることは勿論である。
【図面の簡単な説明】
【００３５】
【図１】本発明を実施する形態の第一の例の側断面図である。
【図２】本発明を実施する形態の第一の例の斜視図である。
【図３】本発明を実施する形態の第二の例の側断面図である。
【図４】本発明を実施する形態の第三の例の側断面図である。
【図５】図４のＶ−Ｖ矢視図である。
【図６】従来例の側断面図である。
【符号の説明】
【００３６】
１    スピーカ
２    ボイスコイル
３    フレーム
４    振動版
５    プロテクタ
５ｂ  雄ネジ部
６    携帯端末機器
７    筐体
１１    スピーカ取付孔
１１ａ  雌ネジ部
１２    シール部材
１３    突片
１４    切欠部
１５    溝部
【図１】
2005073103.tif 000003
【図２】
2005073103.tif 000004
【図３】
2005073103.tif 000005
【図４】
2005073103.tif 000006
【図５】
2005073103.tif 000007
【図６】
2005073103.tif 000008